【手続補正書】
【提出日】平成16年2月9日(2004.2.9)
【手続補正１】
【補正対象書類名】明細書
【補正対象項目名】特許請求の範囲
【補正方法】変更
【補正の内容】
【特許請求の範囲】
【請求項１】
互いに交差配置される複数の走査電極及び複数の信号電極に接続される複数のトランジスタにより電気光学装置を駆動する電気光学装置の駆動方法であって、
一の走査電極を選択する選択期間に、該一の走査電極に選択電圧を供給するステップと、
前記選択期間を構成する複数の小選択期間毎に順次、それぞれが前記複数の信号電極のうちの少なくとも一の信号電極を含む複数の信号電極ブロックのいずれかを選択し、該選択された信号電極ブロックに含まれる信号電極に信号電圧を供給するステップと、
前記信号電極ブロックに含まれる前記信号電極を、少なくとも一の選択期間毎に周期的に組み替えるステップとを含むことを特徴とする電気光学装置の駆動方法。
【請求項２】
互いに交差配置される複数の走査電極及び複数の信号電極に接続される複数のトランジスタにより電気光学装置を駆動する電気光学装置の駆動方法であって、
一の走査電極を選択する選択期間に、該一の走査電極に選択電圧を供給するステップと、
前記選択期間を構成する複数の小選択期間毎に順次、それぞれが前記複数の信号電極のうちの少なくとも一の信号電極を含む複数の信号電極ブロックのいずれかを選択し、該選択された信号電極ブロックに含まれる信号電極に信号電圧を供給するステップと、
前記信号電極ブロックに含まれる前記信号電極を、少なくとも一の選択期間毎に無秩序に組み替えるステップとを含むことを特徴とする電気光学装置の駆動方法。
【請求項３】
互いに交差配置される複数の走査電極及び複数の信号電極に接続される複数のトランジスタからなる電気光学装置であって、
一の走査電極を選択する選択期間に、該一の走査電極に選択電圧を供給する第１の供給手段と、
前記選択期間を構成する複数の小選択期間毎に順次、それぞれが前記複数の信号電極のうちの少なくとも一の信号電極を含む複数の信号電極ブロックのいずれかを選択し、該選択された信号電極ブロックに含まれる信号電極に信号電圧を供給し、
前記信号電極ブロックに含まれる前記信号電極を、少なくとも一の選択期間毎に周期的に組み替える第２の供給手段とを備えることを特徴とする電気光学装置。
【請求項４】
互いに交差配置される複数の走査電極及び複数の信号電極に接続される複数のトランジスタからなる電気光学装置であって、
一の走査電極を選択する選択期間に、該一の走査電極に選択電圧を供給する第１の供給手段と、
前記選択期間を構成する複数の小選択期間毎に順次、それぞれが前記複数の信号電極のうちの少なくとも一の信号電極を含む複数の信号電極ブロックのいずれかを選択し、該選択された信号電極ブロックに含まれる信号電極に信号電圧を供給し、
前記信号電極ブロックに含まれる前記信号電極を、少なくとも一の選択期間毎に無秩序に組み替える第２の供給手段とを備えることを特徴とする電気光学装置。
【請求項５】
前記第２の供給手段は、
複数の信号電圧を供給する複数の信号電圧線と、
前記複数の信号電圧線及び前記複数の信号電極間を前記選択信号に従って接続する複数のスイッチ回路と、
複数の前記スイッチ回路の組み合わせを、少なくとも一の選択期間毎に周期的に組み替える選択制回路とを有することを特徴とする請求項４記載の電気光学装置。
【請求項６】
前記第２の供給手段は、
複数の信号電圧を供給する複数の信号電圧線と、
前記複数の信号電圧線及び前記複数の信号電極間を前記選択信号に従って接続する複数のスイッチ回路と、
複数の前記スイッチ回路の組み合わせを、少なくとも一の選択期間毎に無秩序に組み替える選択制回路とを有することを特徴とする請求項４記載の電気光学装置。
【請求項７】
請求項３乃至請求項６に記載の電気光学装置を光変調手段として用いた投射型表示装置であって、
光源と、
該光源からの光を複数の色光に合成する分離手段と、
該分離手段により分離された複数の色光を変調する複数の前記光変調手段と、
該複数の光変調手段により変調された色光を合成する合成手段と、
該合成手段により合成された光を投射する投射光学手段とを有し、
前記複数の光変調手段の電気光学装置における前記選択制御回路により行われる、前記選択信号を同時に与える複数の前記スイッチ回路の組み合わせは、前記複数の光変調手段の少なくとも１つは他の光変調手段と異なることを特徴とする投射型表示装置。
【手続補正２】
【補正対象書類名】明細書
【補正対象項目名】００４１
【補正方法】変更
【補正の内容】
【００４１】
【課題を解決するための手段】
本発明に記載の電気光学装置の駆動方法は、互いに交差配置される複数の走査電極及び複数の信号電極に接続される複数のトランジスタにより電気光学装置を駆動する電気光学装置の駆動方法であって、一の走査電極を選択する選択期間に、該一の走査電極に選択電圧を供給するステップと、前記選択期間を構成する複数の小選択期間毎に順次、それぞれが前記複数の信号電極のうちの少なくとも一の信号電極を含む複数の信号電極ブロックのいずれかを選択し、該選択された信号電極ブロックに含まれる信号電極に信号電圧を供給するステップと、前記信号電極ブロックに含まれる前記信号電極を、少なくとも一の選択期間毎に周期的に組み替えるステップとを含むことを特徴とする。


【手続補正３】
【補正対象書類名】明細書
【補正対象項目名】００４２
【補正方法】変更
【補正の内容】
【００４２】
また、本発明に記載の電気光学装置の駆動方法は、互いに交差配置される複数の走査電極及び複数の信号電極に接続される複数のトランジスタにより電気光学装置を駆動する電気光学装置の駆動方法であって、一の走査電極を選択する選択期間に、該一の走査電極に選択電圧を供給するステップと、前記選択期間を構成する複数の小選択期間毎に順次、それぞれが前記複数の信号電極のうちの少なくとも一の信号電極を含む複数の信号電極ブロックのいずれかを選択し、該選択された信号電極ブロックに含まれる信号電極に信号電圧を供給するステップと、前記信号電極ブロックに含まれる前記信号電極を、少なくとも一の選択期間毎に無秩序に組み替えるステップとを含むことを特徴とする。


【手続補正４】
【補正対象書類名】明細書
【補正対象項目名】００４３
【補正方法】変更
【補正の内容】
【００４３】
また、本発明に記載の電気光学装置は、互いに交差配置される複数の走査電極及び複数の信号電極に接続される複数のトランジスタからなる電気光学装置であって、一の走査電極を選択する選択期間に、該一の走査電極に選択電圧を供給する第１の供給手段と、前記選択期間を構成する複数の小選択期間毎に順次、それぞれが前記複数の信号電極のうちの少なくとも一の信号電極を含む複数の信号電極ブロックのいずれかを選択し、該選択された信号電極ブロックに含まれる信号電極に信号電圧を供給し、前記信号電極ブロックに含まれる前記信号電極を、少なくとも一の選択期間毎に周期的に組み替える第２の供給手段とを備えることを特徴とする。


【手続補正５】
【補正対象書類名】明細書
【補正対象項目名】００４４
【補正方法】変更
【補正の内容】
【００４４】
また、本発明に記載の電気光学装置は、互いに交差配置される複数の走査電極及び複数の信号電極に接続される複数のトランジスタからなる電気光学装置であって、一の走査電極を選択する選択期間に、該一の走査電極に選択電圧を供給する第１の供給手段と、前記選択期間を構成する複数の小選択期間毎に順次、それぞれが前記複数の信号電極のうちの少なくとも一の信号電極を含む複数の信号電極ブロックのいずれかを選択し、該選択された信号電極ブロックに含まれる信号電極に信号電圧を供給し、前記信号電極ブロックに含まれる前記信号電極を、少なくとも一の選択期間毎に無秩序に組み替える第２の供給手段とを備えることを特徴とする。


【手続補正６】
【補正対象書類名】明細書
【補正対象項目名】００４５
【補正方法】変更
【補正の内容】
【００４５】
また、本発明に記載の電気光学装置は、上記の電気光学装置において、前記第２の供給手段は、複数の信号電圧を供給する複数の信号電圧線と、前記複数の信号電圧線及び前記複数の信号電極間を前記選択信号に従って接続する複数のスイッチ回路と、複数の前記スイッチ回路の組み合わせを、少なくとも一の選択期間毎に周期的に組み替える選択制回路とを有することを特徴とする。
また、本発明に記載の電気光学装置は、上記の電気光学装置において、前記第２の供給手段は、複数の信号電圧を供給する複数の信号電圧線と、前記複数の信号電圧線及び前記複数の信号電極間を前記選択信号に従って接続する複数のスイッチ回路と、複数の前記スイッチ回路の組み合わせを、少なくとも一の選択期間毎に無秩序に組み替える選択制回路とを有することを特徴とする。


【手続補正７】
【補正対象書類名】明細書
【補正対象項目名】００４６
【補正方法】変更
【補正の内容】
【００４６】
また、本発明に記載の投射型表示装置は、本発明に記載の電気光学装置を光変調手段として用いた投射型表示装置であって、光源と、該光源からの光を複数の色光に合成する分離手段と、該分離手段により分離された複数の色光を変調する複数の前記光変調手段と、該複数の光変調手段により変調された色光を合成する合成手段と、該合成手段により合成された光を投射する投射光学手段とを有し、前記複数の光変調手段の電気光学装置における前記選択制御回路により行われる、前記選択信号を同時に与える複数の前記スイッチ回路の組み合わせは、前記複数の光変調手段の少なくとも１つは他の光変調手段と異なることを特徴とする。


【手続補正８】
【補正対象書類名】明細書
【補正対象項目名】００４７
【補正方法】変更
【補正の内容】
【００４７】
また、本発明に記載の電気光学装置の駆動方法は、互いに交差配置される複数の走査電極及び複数の信号電極と、前記走査電極と前記信号電極に接続される複数のトランジスタと、前記トランジスタに接続される複数の画素電極とを有する電気光学装置の駆動方法において、前記走査電極を選択する選択期間には、選択された前記走査電極に、前記トランジスタを導通させる選択電圧を供給し、前記選択期間を所定の複数に分割した小選択期間毎に順次、複数の前記複数の信号電極を複数のブロックに分けた信号電極ブロックのいずれかを選択し、該選択された信号電極ブロック内の各信号電極に信号電圧源からの電圧を供給し、前記小選択期間毎に選択される前記信号電極群の構成を、前記選択期間毎あるいは複数の前記選択期間毎に、周期的に、無秩序に、あるいは所定の組み替え則によって、組み替えることを特徴とする。
このような駆動方法によれば、ある小選択期間で選択された信号電極群の内のある信号電極に隣接する、選択されていない信号電極が、周期的にあるいは無秩序にあるいは所定の組み替え則によって変化する。よって、ある小選択期間で選択された信号電極群の内のある信号電極に隣接する、選択されていない信号電極に係る画素は誤差を持つ階調表示をするが、この誤差を持つ階調表示をする画素が周期的にあるいは無秩序にあるいは所定の組み替え則によって変化するので均一化し、表示むらが解消する。


【手続補正９】
【補正対象書類名】明細書
【補正対象項目名】００４８
【補正方法】変更
【補正の内容】
【００４８】
また、本発明に記載の電気光学装置は、互いに交差配置される複数の走査電極及び複数の信号電極と、前記走査電極と前記信号電極に接続される複数のトランジスタと、前記トランジスタに接続される複数の画素電極とを有する電気光学装置において、前記走査電極を選択する選択期間に、選択された前記走査電極に、前記トランジスタを導通させる選択電圧を供給する第１の供給手段と、前記選択期間を所定の複数に分割した小選択期間毎に順次、複数の前記複数の信号電極を複数のブロックに分けた信号電極ブロックのいずれかを選択し、該選択された信号電極ブロック内の各信号電極に信号電圧源からの電圧を供給する第２の供給手段とを備え、前記第２の供給手段は、前記小選択期間毎に選択される前記信号電極群の構成を、前記選択期間毎あるいは複数の前記選択期間毎に、周期的に、無秩序に、あるいは所定の組み替え則によって、組み替えることを特徴とする。
このような電気光学装置によれば、表示むらが解消し、かつ明るく高コントラストの高品質の表示を行う表示装置が得られる。


【手続補正１０】
【補正対象書類名】明細書
【補正対象項目名】００４９
【補正方法】変更
【補正の内容】
【００４９】
また、本発明に記載の電気光学装置は、互いに交差配置される複数の走査電極及び複数の信号電極と、前記走査電極と前記信号電極に接続される複数のトランジスタと、前記トランジスタに接続される複数の画素電極とを有する電気光学装置において、前記走査電極を選択する選択期間に、選択された前記走査電極に、前記トランジスタを導通させる選択電圧を供給する第１の供給手段と、前記選択期間を所定の複数に分割した小選択期間毎に順次、複数の前記複数の信号電極を複数のブロックに分けた信号電極ブロックのいずれかを選択し、該選択された信号電極ブロック内の各信号電極に信号電圧源からの電圧を供給する第２の供給手段とを備え、前記第２の供給手段は、複数の前記信号電圧源の電圧を供給する複数の信号電圧線と、前記複数の信号電圧線のいずれかと複数の前記信号電極の各々の間を、選択信号を受けて導通する複数のスイッチ回路と、前記選択信号を同時に与える複数の前記スイッチ回路の組み合わせを、前記選択期間毎あるいは複数の前記選択期間毎に、周期的に、無秩序に、あるいは所定の組み替え則によって、組み替え可能とする選択制回路とを有することを特徴とする。
このような電気光学装置を用いることによって、本発明に記載の駆動装置を具現する際に周辺構成を簡素化出来る。
また、本発明に記載の電気光学装置は、前記選択制御回路が、少なくともシフトレジスタ回路とラッチ回路から構成されていることを特徴とする。
このような電気光学装置によれば、本発明に記載の電気光学装置の選択制御回路を容易に構成することが出来る。


【手続補正１１】
【補正対象書類名】明細書
【補正対象項目名】００５０
【補正方法】変更
【補正の内容】
【００５０】
また、本発明に記載の投射型表示装置は、本発明に記載の電気光学装置を光変調手段として用いた投射型表示装置であって、光源と、該光源からの光を複数の色光に合成する分離手段と、該分離手段により分離された複数の色光を変調する複数の前記光変調手段と、該複数の光変調手段により変調された色光を合成する合成手段と、該合成手段により合成された光を投射する投射光学手段とを有し、前記複数の光変調手段の電気光学装置における前記選択制御回路により行われる、前記選択信号を同時に与える複数の前記スイッチ回路の組み合わせは、前記複数の光変調手段の少なくとも１つは他の光変調手段と異ならせてなることを特徴とする。
このような構成により、合成された光により投射される画像において、表示むらが減少するだけでなく、表示むらが発生するとしてもその発生箇所が、合成された画像の画面上で、異なる箇所に発生するので、むらの発生が分散される。よって、合成画像は、表示むらが解消された、明るくコントラストのよいものとできる。